(57)【要約】      （修正有） 【課題】光源としてＯＬＥＤを組み合わせることによって厚さを最小化し、輝度が向上した光を得ることができるＯＬＥＤスタンドを提供する。【解決手段】帯形状のＯＬＥＤ照明シートの前面および背面にそれぞれ帯形状の透明フィルムおよび帯形状のケーシングプレート（Ｃａｓｉｎｇ  ｐｌａｔｅ）を備えて照明部１０を構成し、支持本体部２０の上部の一側端部と照明部の一端部を締結させて照明部を地面から離隔して支持するとともに、地面上に延長して照明部と締結している支持本体部をベース部３０で支持する。【選択図】図１
0003212075.tif 000002
【実用新案登録請求の範囲】
【請求項１】
帯形状のＯＬＥＤ照明シートと、前記ＯＬＥＤ照明シートの前面に重なって面接触する帯形状の透明フィルムおよび前記ＯＬＥＤ照明シートの背面に面接触した状態で左右側枠を通じて前記ＯＬＥＤ照明シートと前記透明フィルムを収容および支持する帯形状のケーシングプレート（Ｃａｓｉｎｇ  ｐｌａｔｅ）を備える照明部、
上部の一側端部は前記照明部の一端部と締結して前記照明部を地面から離隔して支持し、下部の他側端部は前記地面に向かって延長する支持本体部、および
前記支持本体部の他側端部に締結して前記地面上で前記照明部および前記支持本体部を支持するベース部を備える、ＯＬＥＤスタンド。
【請求項２】
前記ケーシングプレートは、
前記ＯＬＥＤ照明シートの背面に面接触するバックカバー部と、前記バックカバー部の左右両側面から垂直に突出して前記ＯＬＥＤ照明シートおよび前記透明フィルムを側面で支持するサイド突出端部と、前記サイド突出端部から内側に前記バックカバー部の正面に並行に延長して前記透明フィルムの表面枠を接触支持するガイドアーム部を備えることを特徴とする、請求項１に記載のＯＬＥＤスタンド。
【請求項３】
前記照明部は
前記支持本体部と締結する一端部の反対側の自由端部路に、
前記ケーシングプレートに収容された前記ＯＬＥＤ照明シートおよび前記透明フィルムが外部に露出することを防ぐための封止プラグ （Ｐｌｕｇ）が挟み結合されることを特徴とする、請求項２に記載のＯＬＥＤスタンド。
【請求項４】
前記ケーシングプレートは、
前記ＯＬＥＤ照明シートの背面に面接触するバックカバー部と、前記バックカバー部の少なくとも左右側枠に付着して前記前面に向かって垂直に突出することにより、内側には前記バックカバー部の正面に前記ＯＬＥＤ照明シートおよび前記透明フィルムの各枠を接触支持するサイドフレーム部を備えることを特徴とする、請求項１に記載のＯＬＥＤスタンド。
【請求項５】
前記サイドフレーム部は、
前記バックカバー部の少なくとも左右側枠と当接して支持する第１垂直端部と、前記ＯＬＥＤ照明シートの少なくとも左右側枠と当接して支持する第２垂直端部と、前記透明フィルムの少なくとも左右側枠と当接して支持する第３垂直端部が順に形成されたことを特徴とする、請求項４に記載のＯＬＥＤスタンド。
【請求項６】
前記サイドフレーム部は、
前記第１垂直端部と前記第２垂直端部の間に形成されて前記バックカバー部の前面枠に付着する第１水平端部と、前記第２垂直端部と前記第３垂直端部の間に形成されて前記透明フィルムの背面枠に付着する第２水平端部がさらに形成されたことを特徴とする、請求項５に記載のＯＬＥＤスタンド。
【請求項７】
前記透明フィルムは、
前記ＯＬＥＤ照明シートの前面に面接触する前面カバー部と、前記前面カバー部の左右両側面から垂直に突出して前記ＯＬＥＤ照明シートを側面で支持するサイド端部を備え、
前記ケーシングプレートは、
前記ＯＬＥＤ照明シートの背面に面接触するバックカバー部と、前記バックカバー部の左右両側面から垂直に突出して前記サイド端部を側面で支持するサイド突出端部を備えることを特徴とする、請求項１に記載のＯＬＥＤスタンド。
【請求項８】
前記透明フィルムのサイド端部は、その長さ方向に沿って多数の係止突起が突出形成され、
前記ケーシングプレートのサイド突出端部は、前記多数の係止突起に対応する位置ごとに係止凹溝部が形成されることを特徴とする、請求項７に記載のＯＬＥＤスタンド。
【請求項９】
前記支持本体部は、
本体の中間部位で所定の鋭角に曲がった屈曲部が形成され、前記屈曲部から延長する一側端部を通じて前記照明部の一端部と締結することにより、前記照明部が地面から上部に傾くように延長するようにし、前記屈曲部から延長する他側端部は前記地面に並行に延長形成され、
前記ベース部は、
前記支持本体部の他側端部に締結し、少なくとも前記照明部が前記地面に垂直に投射する方向に延長形成することにより、前記地面上で前記照明部および前記支持本体部を支持することを特徴とする、請求項１に記載のＯＬＥＤスタンド。
【考案の詳細な説明】
【技術分野】
【０００１】
本考案はＯＬＥＤスタンドに関し、より詳しくは、帯形状のＯＬＥＤ照明シートの前面および背面にそれぞれ帯形状の透明フィルムおよび帯形状のケーシングプレート（Ｃａｓｉｎｇ  ｐｌａｔｅ）を備えて照明部を構成し、支持本体部の上部一側端部と照明部の一端部を締結して照明部を地面から離隔して支持し、地面上に延長して照明部と締結している支持本体部をベース部で支持することにより、光源としてＯＬＥＤを組み合わせることによって厚さが最小化し、輝度が向上した光を提供するＯＬＥＤスタンドに関する。
【背景技術】
【０００２】
照明用スタンドは、照明手段の発展に伴って白熱灯や蛍光灯のようなランプ類を利用することが主流になってきたが、最近ではＬＥＤ（Ｌｉｇｈｔ−ｅｍｉｔｔｉｎｇ  ｄｉｏｄｅ）などの新たな照明手段の開発によって多様な製品が登場している。
【０００３】
特に、最近開発されているＯＬＥＤ（Ｏｒｇａｎｉｃ  ｌｉｇｈｔ−ｅｍｉｔｔｉｎｇ  ｄｉｏｄｅ：有機発光ダイオード）は、高輝度性、薄膜化、屈曲可能性などの側面において強点をもつという関係により、ＴＶなどの各種映像装置に採択されている。
【０００４】
これにより、本考案では、上述したように薄膜化が可能なＯＬＥＤを照明手段として適用することにより、既存のスタンドに比べて輝度がさらに向上することはもちろん、よりスリムで洗練されたＯＬＥＤスタンドを提案するのに至った。
【考案の概要】
【考案が解決しようとする課題】
【０００５】
本考案は、薄膜型のＯＬＥＤ照明シート、透明フィルム、およびケーシングプレートを結合して照明部を薄膜化することによって厚さを最小化し、輝度が向上した光を発光するＯＬＥＤスタンドを提供することを目的とする。
【０００６】
また、本考案は、照明部の光源として柔軟性を有するＯＬＥＤ照明シートおよび透明フィルムを利用することにより、曲率半径の変更が可能な照明部を備えるＯＬＥＤスタンドを提供することを目的とする。
【課題を解決するための手段】
【０００７】
帯形状のＯＬＥＤ照明シートと、前記ＯＬＥＤ照明シートの前面に重なって面接触する帯形状の透明フィルムおよび前記ＯＬＥＤ照明シートの背面に面接触した状態で前記ＯＬＥＤ照明シートと前記透明フィルムを収容および支持する帯形状のケーシングプレート（Ｃａｓｉｎｇ  ｐｌａｔｅ）を備える照明部と、上部の一側端部は前記照明部の一端部と締結して前記照明部を地面から離隔して支持し、下部の他側端部は前記地面に向かって延長する支持本体部、および前記支持本体部の他側端部に締結し、前記地面上で前記照明部および前記支持本体部を支持するベース部を備えるＯＬＥＤスタンドを提供する。ここで、前記ケーシングプレートは、前記ＯＬＥＤ照明シートの背面と面接触するバックカバー部と、前記バックカバー部の左右両側の面から垂直に突出して前記ＯＬＥＤ照明シートおよび前記透明フィルムを側面で支持するサイド突出端部と、前記サイド突出端部から内側に前記バックカバー部の正面と平行に延長して前記透明フィルムの表面枠を接触支持するガイドアーム部を備えることもできる。
【０００８】
このとき、前記照明部の、前記支持本体部と締結する一端部の反対側の自由端部には、前記ケーシングプレートに収容された前記ＯＬＥＤ照明シートおよび前記透明フィルムが外部に露出することを防ぐための封止プラグ（Ｐｌｕｇ）が挟み結合されることもできる。
【０００９】
一方、前記ケーシングプレートは、前記ＯＬＥＤ照明シートの背面と面接触するバックカバー部と、前記バックカバー部の少なくとも左右側の縁に付着して前記前面に向かって垂直に突出することにより、内側には前記バックカバー部の正面に前記ＯＬＥＤ照明シートおよび前記透明フィルムの各枠を接触支持するサイドフレーム部を備えることもできる。
【００１０】
このとき、前記サイドフレーム部は、前記バックカバー部の少なくとも左右側の枠と当接して支持する第１垂直端部と、前記ＯＬＥＤ照明シートの少なくとも左右側の枠と当接して支持する第２垂直端部と、前記透明フィルムの少なくとも左右側の枠と当接して支持する第３垂直端部が順に形成されることもできる。
【００１１】
また、前記サイドフレーム部は、前記第１垂直端部と前記第２垂直端部の間に形成されて前記バックカバー部の前面枠に付着する第１水平端部と、前記第２垂直端部と前記第３垂直端部の間に形成されて前記透明フィルムの背面枠に付着する第２水平端部がさらに形成されることもできる。
【００１２】
一方、前記透明フィルムは、前記ＯＬＥＤ照明シートの前面に面接触する前面カバー部と、前記前面カバー部の左右両側面から垂直に突出して前記ＯＬＥＤ照明シートを側面で支持するサイド端部を備え、前記ケーシングプレートは、前記ＯＬＥＤ照明シートの背面に面接触するバックカバー部と、前記バックカバー部の左右両側面から垂直に突出して前記サイド端部を側面で支持するサイド突出端部を備えることもできる。
【００１３】
このとき、前記透明フィルムのサイド端部は、その長さ方向に沿って多数の係止突起が突出形成され、前記ケーシングプレートのサイド突出端部は、前記多数の係止突起に対応する位置ごとに係止凹溝部が形成されることもできる。
一方、前記支持本体部は、本体の中間部位から所定の鋭角に曲がった屈曲部が形成され、前記屈曲部から延長する一側端部を通じて前記照明部の一端部と締結することにより、前記照明部が地面から上部に傾くように延長するようにし、前記屈曲部から延長する他側端部は前記地面に並行に延長形成され、  前記ベース部は前記支持本体部の他側端部に締結し、少なくとも前記照明部が前記地面に垂直に投射する方向に延長形成されることにより、前記地面上で前記照明部および前記支持本体部を支持することもできる。
【考案の効果】
【００１４】
以上のように、本考案に係るＯＬＥＤスタンドによると、ＯＬＥＤ照明シート、透明フィルム、およびケーシングプレートの結合によって構成される照明部の薄膜化により、既存のスタンドに比べて輝度が向上することはもちろん、よりスリムで洗練されたＯＬＥＤスタンドを提供することができる。
【００１５】
また、照明部の組み立てにおいても、既存のスタンドは、螺子や両面テープなどで部品間を付着する方式を実現することによって体積ないし厚さが増加し、作業工数が増えて不良率が高くなるという問題があったが、本考案に係る照明部は、ＯＬＥＤ照明シートと透明フィルムをケーシングプレートに挿し込んだりスライド挿入させるという単純な方法を採用するため、体積と厚さが減少することはもちろん、作業工数が大幅に減り、組み立てによる製品の不良率を大きく減少させることができる。
【００１６】
なお、ＯＬＥＤの特性上、既存のスタンドでは実現することができなかった自然光に近い照明色を提供することができ、消費電力も著しく低下することから、エコロジーなスタンドを実現することができる。
【００１７】
さらに、ＯＬＥＤ照明シートは、これを曲げて立体的に屈曲した形態でも使用することができるため、円形や半円形などの曲率半径をもつ照明部を実現できるようになることから、多様なデザインの実現が可能になるという利点をもつ。
【図面の簡単な説明】
【００１８】
【図１】本考案の第１実施例に係るＯＬＥＤスタンドの斜視図である。
【図２】図１のＯＬＥＤスタンドの側面図である。
【図３】図１のＯＬＥＤスタンドの分解斜視図である。
【図４】図１のＡＡ線による断面図である。
【図５】図１のＯＬＥＤスタンドおよびこれに適用が可能な封止プラグ （Ｐｌｕｇ）を示した斜視図である。
【図６】図１のＯＬＥＤスタンドの変形例を示した側面図である。
【図７】本考案の第２実施例に係るＯＬＥＤスタンドの断面図である。
【図８】本考案の第３実施例に係るＯＬＥＤスタンドの断面図である。
【考案を実施するための形態】
【００１９】
本考案の第１実施例に係るＯＬＥＤスタンド１は、図１および図２に示すように、地面から垂直双方向に傾く形態で支持され、照明手段を備えている薄膜の照明部１０、この照明部１０の下側一端部と締結し、屈曲した本体で構成された支持本体部２０、この支持本体部２０の地面に触れる端部と締結し、地面に対して前記照明部１０と支持本体部２０を支持するベース部３０を備えて構成される。
【００２０】
照明部１０は、図３に示すように、帯形状のＯＬＥＤ照明シート１１を照明手段として備えており、このＯＬＥＤ照明シート１１の前面に重なって面接触する帯形状の透明フィルム１２を備える。透明フィルム１２は、ＯＬＥＤ照明シート１１から発生する光を通過させ、外部の衝撃からこれを保護する機能を行う。
【００２１】
また、照明部１０は、ＯＬＥＤ照明シート１１と透明フィルム１２を収容および支持する帯形状のケーシングプレート（Ｃａｓｉｎｇ  ｐｌａｔｅ）１３をさらに備える。
【００２２】
ケーシングプレート１３は、ＯＬＥＤ照明シート１１の背面に面接触した状態で、図４に示すように、その左右側の縁でＯＬＥＤ照明シート１１および透明フィルム１２を収容および支持する。
【００２３】
具体的に、ケーシングプレート１３は、ＯＬＥＤ照明シート１１の背面（図４では上面）に面接触するバックカバー部１３ａ、このバックカバー部１３ａの左右両側面から垂直に突出するサイド突出端部１３ｂ、およびこのサイド突出端部１３ｂから内側にバックカバー部１３ａの正面に並行に延長するガイドアーム部１３ｃを備える。
【００２４】
サイド突出端部１３ｂは、上下に積層されているＯＬＥＤ照明シート１１と透明フィルム１２を側面から支持し、ガイドアーム部１３ｃは、透明フィルム１２の表面（図４では底面）の縁を接触支持することにより、上述したガイドアーム部１３ｃおよびバックカバー部１３ａと共に形成される内部空間において、ＯＬＥＤ照明シート１１と透明フィルム１２が共に収容および支持されるようにする。
【００２５】
このようなケーシングプレート１３は、圧出アルミニウムによって実現されることができ、照明部１０は、前記ケーシングプレート１３の長さ方向の一側端部からＯＬＥＤ照明シート１１と透明フィルム１２を挟み込む方式で組み立てることができる。
【００２６】
一方、図５に示すように、ＯＬＥＤ照明シート１１と透明フィルム１２が挟まれているケーシングプレート１３の上側の自由端部１０ａに棒形状の封止プラグ （Ｐｌｕｇ）１４を挟み結合させることにより、ケーシングプレート１３に挟まれて収容されているＯＬＥＤ照明シート１１と透明フィルム１２が前記自由端部１０ａから外部に露出することを防ぐことができる。
【００２７】
支持本体部２０には、図１および図２に示すように、本体の中間部位で所定の鋭角に曲がった屈曲部２０ａが形成され、この屈曲部２０ａから上側に傾くように延長する一側の端部２０ｂが上述した照明部１０の下端部と締結することにより、前記照明部１０が地面から上部に傾くように延長するようになる。
【００２８】
また、支持本体部２０は、上述した屈曲部２０ａから水平方向に延長する他側端部２０ｃが地面に面接触し、これと並行に延長する。
【００２９】
このような支持本体部２０は、図３に示すように、これを構成する両側カバー本体部２１、２２の間に、上述したように組み立てられた照明部１０の下端部を置いて共に締結することによって前記照明部１０を支持する。
【００３０】
支持本体部２０の内部には、ＯＬＥＤ照明シート１１のオン／オフ、電源供給、明るさ調節のための制御回路（図示せず）が内蔵される。また、支持本体部２０の外側の板面には、ユーザ操作のためのスイッチ類（図示せず）が設置される。
【００３１】
ベース部３０は、図１〜図３に示すように、その一端部３０ａが支持本体部２０の前記他側端部２０ｃと締結し、その延長する方向は、少なくとも照明部１０が地面と垂直に投射される方向に延長形成されることにより、照明部１０と支持本体部２０が側面方向に倒れることなく支持されるようにする。
【００３２】
このようなベース部３０は、支持本体部２０を構成する両側カバー本体部２１、２２の間に介在された状態で共に締結されることによって互いに一体を形成する。
【００３３】
一方、上述したように、照明部１０に光源として適用されるＯＬＥＤ照明シート（図３の１１）は、このフレキシブル（ｆｌｅｘｉｂｌｅ）な特性によって必要に応じて曲がり、例えば、図６に示すように、照明部１０自体が立体的に屈曲した形態でも使用が可能となる。したがって、ＯＬＥＤ照明シート１１の屈曲可能な特性を利用することにより、立体的に円形や半円形などの曲率半径をもつ多様なデザインの照明部１０を実現することができる。
【００３４】
本考案の第２実施例に係るＯＬＥＤスタンドの照明部１０’において、ケーシングプレートは、図７に示すように、バックカバー部１４とサイドフレーム部１５を備える。
【００３５】
バックカバー部１４は、ＯＬＥＤ照明シート１１の背面（図面では上面）に面接触して支持され、サイドフレーム部１５は、バックカバー部１４の前面（図面では下面）の左右側の縁に付着して前記前面に向かって垂直に突出し、その内側は前記バックカバー部１４の正面（すなわち、前面）にＯＬＥＤ照明シート１１および透明フィルム１２の各縁と接触して支持する。
【００３６】
具体的に、サイドフレーム部１５は、バックカバー部１４の左右側の枠と当接して支持する第１垂直端部１５ａ、ＯＬＥＤ照明シート１１の左右側の枠と当接して支持する第２垂直端部１５ｂ、透明フィルム１２の左右側の枠と当接して支持する第３垂直端部１５ｃが順に形成された、横からみると断面が「Ｔ」字の形状をなす。
【００３７】
さらに、サイドフレーム部１５は、上述した第１垂直端部１５ａと第２垂直端部１５ｂの間に形成される第１水平端部１５ｄがバックカバー部１４の前面の縁に付着し、上述した第２垂直端部１５ｂと第３垂直端部１５ｃの間に形成される第２水平端部１５ｅが透明フィルム１２の背面の縁に付着する。
【００３８】
ここで、バックカバー部１４は、ステンレスまたはカーボン材質で形成されることができ、サイドフレーム部１５はアルミニウム射出物で形成されることができる。
【００３９】
本考案の第３実施例に係るＯＬＥＤスタンドの照明部１０’’は、図８に示すように、ＯＬＥＤ照明シート１１の前面に重なって面接触する帯形状の透明フィルム１２’と、ＯＬＥＤ照明シート１１と透明フィルム１２’を側面で収容および支持する帯形状のケーシングプレート１３’を備える。
【００４０】
透明フィルム１２’は、ＯＬＥＤ照明シート１１の前面（図面では底面）と面接触する前面カバー部１２ａ’と、この前面カバー部１２ａ’の左右両側の面から垂直に突出してＯＬＥＤ照明シート１１を側面で支持するサイド端部１２ｂ’を備える。
【００４１】
ケーシングプレート１３’は、前記ＯＬＥＤ照明シート１１の背面（図面では上面）と面接触するバックカバー部１３ａ’と、バックカバー部１３ａ’の左右両側の面から垂直に突出して前記サイド端部１２ｂ’を側面で支持するサイド突出端部１３ｂ’を備える。
【００４２】
これにより、照明部１０’’は、ＯＬＥＤ照明シート１１、透明フィルム１２’、およびケーシングプレート１３’の三層のみで構成される厚さを有することから、同じスライド組み立て方式を採用している上述した第１実施例の照明部（図４の１０）よりも、さらに薄い照明部を実現することができる。
【００４３】
このとき、図８に示すように、透明フィルム１２’のサイド端部１２ｂ’には、その長さ方向に沿って多数の係止突起（Ｔ）が突出形成され、これに対してケーシングプレート１３’のサイド突出端部１３ｂ’には、前記多数の係止突起（Ｔ）に対応する各位置に係止凹溝部（Ｈ）が形成されることにより、組み立ての際に互いに締結するようにできる。
【００４４】
一方、以上で説明されたＯＬＥＤスタンドは、本考案の理解を助けるための一実施形態に過ぎないため、本考案の権利範囲ないし技術的範囲が上述されたものに限定されると理解されてはならない。
【図１】
0003212075.tif 000003
【図２】
0003212075.tif 000004
【図３】
0003212075.tif 000005
【図４】
0003212075.tif 000006
【図５】
0003212075.tif 000007
【図６】
0003212075.tif 000008
【図７】
0003212075.tif 000009
【図８】
0003212075.tif 000010